【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
液晶表示パネルと、
前記液晶表示パネルの一辺に形成される接続部に接続されるフレキシブル配線板と、
前記液晶表示パネルの表示面に接着される表示窓と、
前記表示窓を配置する開口部が形成される外装部材と、
前記表示窓の端面と前記開口部の端面との間に隙間が形成されるように、前記開口部に前記表示窓を配置するときに、前記隙間の近傍に位置する前記接続部および前記フレキシブル配線板を覆うように配置される第１の遮光部材とを有することを特徴とする表示装置。
【請求項２】
前記開口部に前記表示窓を配置するときに、前記開口部の端面が、前記液晶表示パネルの前記一辺における端面よりも外側に位置することを特徴とする請求項１に記載の表示装置。
【請求項３】
前記表示窓は、前記表示窓の端面が前記液晶表示パネルの前記一辺における端面から突出するように、前記液晶表示パネルの表示面に接着されることを特徴とする請求項２の記載の表示装置。
【請求項４】
前記表示窓は、前記液晶表示パネルの前記一辺以外の辺が前記表示窓の端面より突出するように、前記液晶表示パネルの表示面に接着されることを特徴とする請求項３の記載の表示装置。
【請求項５】
前記第１の遮光部材を前記フレキシブル配線板に配置したのち、前記表示窓の周囲を覆うように配置される第２の遮光部材を有することを特徴とする請求項１ないし４のいずれか１項に記載の表示装置。
【請求項６】
前記液晶表示パネルは、前記一辺と対向する一辺に封止部が形成され、
前記第２の遮光部材は前記封止部を覆うように配置されることを特徴とする請求項５に記載の表示装置。
【請求項７】
前記液晶表示パネルの前記一辺に電子部品が実装され、
前記表示窓の端面と前記開口部の端面との間に前記隙間が形成されるように、前記開口部に前記表示窓を配置するときに、前記第１の遮光部材が前記電子部品、前記接続部および前記フレキシブル配線板を覆うように配置されることを特徴とする請求項１ないし６のいずれか１項に記載の表示装置。
【請求項８】
前記第１の遮光部材は絶縁材料で形成されることを特徴とする請求項１ないし７のいずれか１項に記載の表示装置。
【手続補正２】
【補正対象書類名】明細書
【補正対象項目名】０００７
【補正方法】変更
【補正の内容】
【０００７】
そこで、液晶表示パネルに接着した表示窓を外装部材に形成される開口部にはめ込むのみとして、表示窓と外装部材とを接着しない構成を検討している。しかしながら、この構成では、表示窓の端面と外装部材の端面との間にわずかな隙間が生じてしまう。この隙間からデジタルカメラの内部構造物が見えてしまうことは、品位の点から好ましくない。また、この隙間から静電気が侵入することで、誤動作や制御ＩＣの破壊などの問題が起こりうる。
【手続補正３】
【補正対象書類名】明細書
【補正対象項目名】０００９
【補正方法】変更
【補正の内容】
【０００９】
本発明は、このような課題に鑑みて、表示窓の端面と外装部材の端面との間に隙間が生じたとしても、内部構造物が見えてしまうことがなく、この隙間から侵入する静電気に対する対策を施すことの可能な表示装置を提供することを目的とする。また、バックライトから光が液晶表示パネルの表示面方向に漏れることのない表示装置を提供することを目的とする。
【手続補正４】
【補正対象書類名】明細書
【補正対象項目名】００１０
【補正方法】変更
【補正の内容】
【００１０】
本発明の表示装置は、液晶表示パネルと、前記液晶表示パネルの一辺に形成される接続部に接続されるフレキシブル配線板と、前記液晶表示パネルの表示面に接着される表示窓と、前記表示窓を配置する開口部が形成される外装部材と、前記表示窓の端面と前記開口部の端面との間に隙間が形成されるように、前記開口部に前記表示窓を配置するときに、前記隙間の近傍に位置する前記接続部および前記フレキシブル配線板を覆うように配置される第１の遮光部材とを有することを特徴とする。
【手続補正５】
【補正対象書類名】明細書
【補正対象項目名】００１１
【補正方法】変更
【補正の内容】
【００１１】
本発明によれば、表示窓の端面と外装部材の端面との間に隙間が生じたとしても、内部構造物が見えてしまうことがなく、静電気に対する対策を施すことの可能な表示装置を提供することができる。また、バックライトから光が液晶表示パネルの表示面方向に漏れることのない表示装置を提供することができる。
【手続補正６】
【補正対象書類名】明細書
【補正対象項目名】００３２
【補正方法】変更
【補正の内容】
【００３２】
図５（ｂ）に示すように、液晶表示ユニット１２およびリアカバー１１がカメラアセンブリ１３に固定されるときには、液晶表示ユニット１２の表面となる表示窓２３の表面がリアカバー１１の開口部１１ａから露出する。このとき、開口部１１ａの端面１１ａ１と表示窓２３の端面２３ａとの間には、製造上の部品の寸法誤差を考慮して、隙間Ａが形成される。この隙間Ａから、内部が見えたとしても、第１の遮光テープ２２が上述した位置に貼られていることで、フレキシブル配線板２１が見えてしまうことがない。図５（ｂ）に示すように、第２の遮光テープ２４は、表示窓２３の端面２３ａの近傍では、表示窓２３の周囲を覆っていない。これは、上述したように、第２の遮光テープ２４の内周が表示窓２３の外周よりも大きく形成され、第２の遮光テープ２４は表示窓２３の端面２３ｂに第２の遮光テープ２４の端面２４ａを当接させることで、位置決めして、貼られているからである。
【手続補正７】
【補正対象書類名】明細書
【補正対象項目名】００３３
【補正方法】変更
【補正の内容】
【００３３】
すなわち、表示窓２３の端面２３ｂに第２の遮光テープ２４の端面２４ａを当接させて、第２の遮光テープ２４を貼っているので、図５（ｃ）に図示するように、表示窓２３の端面２３ｂの近傍では、表示窓２３の周囲は第２の遮光テープ２４によって覆われる。そして、液晶表示パネル２０の封止部２０ｃの上面も、第２の遮光テープ２４によって覆われ、封止部２０ｃから漏れる光が、図５（ｃ）に示す表示窓２３の端面２３ｂと開口部１１ａの端面１１ａ２との隙間Ａから見えることはない。
【手続補正８】
【補正対象書類名】明細書
【補正対象項目名】００３４
【補正方法】変更
【補正の内容】
【００３４】
また、第１の遮光テープ２２が絶縁材料で形成され、上述した位置に貼られていることで、隙間Ａから回路接続部２０ｂまでの沿面距離を長くすることができる。これによって、隙間Ａから、デジタルカメラの内部に静電気が侵入した場合に、回路接続部２０ｂに放電することを防止することができる。
【手続補正９】
【補正対象書類名】明細書
【補正対象項目名】００３５
【補正方法】変更
【補正の内容】
【００３５】
さらに、図５（ｂ）の示すように、リアカバー１１に矢印Ｆの方向の力が与えられるとき、開口部１１ａが変形したとしても、第１の遮光テープ２２がフレキシブル配線板２１に貼られることで、フレキシブル配線板２１の切れを防止することができる。さらに、本実施例では、開口部１１ａの端面１１ａ１は液晶表示パネル２０の端２０ｄよりも外側に位置し、開口部１１ａの端面１１ａ１と液晶表示パネル２０の端２０ｄとの間には隙間Ｂが形成される。この隙間Ｂが小さい場合には、開口部１１ａが変形したときに、開口部１１ａの端面１１ａ１と液晶表示パネル２０の端２０ｄが鋏の刃のように作用して、フレキシブル配線板２１を切断してしまう。本実施例では、表示窓２３の端面２３ａが液晶表示パネル２０の端２０ｄよりも突出しているので、開口部１１ａの端面１１ａ１と液晶表示パネル２０の端２０ｄとの間には、フレキシブル配線板２１を切断しない程度の十分な距離が設けられる。
【手続補正１０】
【補正対象書類名】明細書
【補正対象項目名】００３６
【補正方法】変更
【補正の内容】
【００３６】
以上説明したように、本実施例によれば、表示窓２３の端面２３ａと開口部１１ａの端面１１ａ１との隙間Ａから、フレキシブル配線板２１が見えてしまうことがない。また、隙間Ａから静電気が侵入した場合にも、回路接続部２０ｂに放電してしまうことを防止することができる。さらに、開口部１１ａが変形したときも、フレキシブル配線板２１の切れを防止することができる。
【手続補正１１】
【補正対象書類名】明細書
【補正対象項目名】００３８
【補正方法】変更
【補正の内容】
【００３８】
図６は本発明の表示装置の第２の実施例としてのデジタルカメラ１１０を説明する図である。図６（ａ）に示すように、デジタルカメラ１１０の背面には画像を表示する液晶表示ユニット１１２および外装部材としてのリアカバー１１１が取り付けられている。図６（ｂ）はデジタルカメラ１１０の分解斜視図である。液晶表示ユニット１１２をカメラアセンブリ１１３に固定した後、リアカバー１１１がカメラアセンブリ１１３に固定される。リアカバー１１１には開口部１１１ａが形成され、開口部１１１ａから液晶表示ユニット１１２の表面が露出するように、カメラアセンブリ１１３に固定される。
【手続補正１２】
【補正対象書類名】明細書
【補正対象項目名】００４６
【補正方法】変更
【補正の内容】
【００４６】
液晶表示パネル１２０の領域１２０ａが形成される一辺にて、表示窓１２３の端面１２３ａが液晶表示パネル１２０の上側ガラス基板の端面１２０ｅよりも突出するように、表示窓１２３を液晶表示パネル１２０の表示面に接着する。第１の遮光テープ１２２の上方は表示窓１２３の一辺で覆われる。
【手続補正１３】
【補正対象書類名】明細書
【補正対象項目名】００５１
【補正方法】変更
【補正の内容】
【００５１】
図８（ｂ）に示すように、液晶表示ユニット１１２およびリアカバー１１１がカメラアセンブリ１１３に固定されるときには、液晶表示ユニット１１２の表面となる表示窓１２３の表面がリアカバー１１１の開口部１１１ａから露出する。このとき、開口部１１１ａの端面１１１ａ１と表示窓１２３の端面１２３ａとの間には、製造上の部品の寸法関係を考慮して、隙間Ａ’が形成される。この隙間Ａ’から、内部が見えたとしても、第１の遮光テープ１２２が上述した位置に貼られていることで、フレキシブル配線板１２１が見えてしまうことがない。
【手続補正１４】
【補正対象書類名】明細書
【補正対象項目名】００５２
【補正方法】変更
【補正の内容】
【００５２】
第１の遮光テープ１２２が絶縁材料で形成され、上述した位置に貼られていることで、隙間Ａ’から電子部品１３０または回路接続部１２０ｂまでの沿面距離を長くすることができる。これによって、隙間Ａ’から、デジタルカメラの内部に静電気が侵入した場合に、電子部品１３０または回路接続部１２０ｂに放電することを防止することができる。
【手続補正１５】
【補正対象書類名】明細書
【補正対象項目名】００５４
【補正方法】変更
【補正の内容】
【００５４】
以上説明したように、本実施例によれば、表示窓１２３の端面１２３ａと開口部１１１ａの端面１１１ａ１との隙間Ａ’から、フレキシブル配線板１２１が見えてしまうことがない。また、隙間Ａ’から静電気が侵入した場合にも、電子部品１３０または回路接続部１２０ｂに放電してしまうことを防止することができる。さらに、開口部１１１ａが変形したときも、フレキシブル配線板１２１の切れを防止することができる。